(57)【要約】【課題】記録媒体に記録された映像コンテンツをダビング予約する際にダビング開始時刻を指定させ、また、再度時刻設定を行う際には前回指定されたダビング開始時刻をデフォルト値として表示させて、動的且つ簡単に予約設定を行えるようにする。【解決手段】ダビング予約装置は、記録媒体に記録された映像コンテンツからダビング対象の映像コンテンツをユーザに選択させ、その選択された映像コンテンツに対してダビング予約を行うための予約画面４３を表示する。予約画面４３は、前回指定されたダビング開始時刻がデフォルト値として設定された入力欄４４を有し、前記ダビング予約装置は、入力欄４４に入力指定されたダビング開始時刻で前記選択された映像コンテンツのダビングを予約し、前記ダビング開始時刻になったときに他の記録媒体にダビングする。【選択図】図９
2005167297.tif 000002
【特許請求の範囲】
【請求項１】
記録媒体に記録された映像コンテンツをダビング予約して他の記録媒体にダビングするためのダビング予約方法において、前記記録媒体に記録された映像コンテンツからダビング対象の映像コンテンツを選択させる映像コンテンツ選択ステップと、該選択された映像コンテンツに対してダビング予約を行うための予約画面を生成するＯＳＤ生成ステップと、該生成した予約画面を表示させる表示制御ステップと、該表示された予約画面からダビング開始時刻を指定させてダビング予約を行うダビング予約ステップと、該指定されたダビング開始時刻を計時する計時ステップと、前記ダビング開始時刻になったときに前記映像コンテンツ選択ステップで選択された映像コンテンツを前記他の記録媒体にダビングするダビング実行ステップとを有することを特徴とするダビング予約方法。
【請求項２】
前記映像コンテンツ選択ステップにおいて、前記選択された映像コンテンツに対してダビングの優先順位を設定し、前記ダビング実行ステップにおいて、前記ダビング開始時刻になったときに前記映像コンテンツ選択ステップで選択された映像コンテンツのダビングを前記優先順位に従って実行することを特徴とする請求項１に記載のダビング予約方法。
【請求項３】
前記ＯＳＤ生成ステップにおいて、再度ダビング開始時刻を指定する際に、前回指定されたダビング開始時刻をデフォルト値として設定した予約画面を生成することを特徴とする請求項１又は２に記載のダビング予約方法。
【請求項４】
前記ダビング予約ステップにおいて、前記予約画面からダビング開始時刻が指定されたときに前記映像コンテンツ選択ステップで選択された映像コンテンツのダビングに要する時間に基づいてダビングの終了予定時刻を算出し、該算出した終了予定時刻を前記ダビング開始時刻に連動させて前記予約画面に出力できるようにしたことを特徴とする請求項１乃至３のいずれか１に記載のダビング予約方法。
【請求項５】
前記ダビング予約ステップにおいて、前記ダビング予約された映像コンテンツのダビングに要する時間帯が、既に視聴又は録画予約等されている映像コンテンツの予約時間帯の少なくとも一部と重複するかどうか判定し、予約が重複する場合には、その旨を通知すると共に、重複する予約のいずれかを破棄又は変更できるようにしたことを特徴とする請求項１乃至４のいずれか１に記載のダビング予約方法。
【請求項６】
既に視聴又は録画予約等されている映像コンテンツの放送時間の変更に応じて当該視聴又は録画予約等の開始時刻及び／又は終了時刻を変更する予約変更ステップを有し、該予約変更ステップにおいて変更された視聴又は録画予約等の時間帯が、前記ダビング予約された時間帯の少なくとも一部と重複する場合、前記ダビング予約を破棄し、前記予約されている視聴又は録画等を優先させて実行することを特徴とする請求項１乃至５のいずれか１に記載のダビング予約方法。
【請求項７】
既に視聴又は録画予約等されている映像コンテンツの放送時間の変更に応じて当該視聴又は録画予約等の開始時刻及び／又は終了時刻を変更する予約変更ステップを有し、該予約変更ステップにおいて変更された視聴又は録画予約等の時間帯が、前記ダビング予約された時間帯の少なくとも一部と重複する場合、該重複した時間帯で前記予約されている視聴又は録画等を優先させて実行した後に、前記予約されているダビングを実行することを特徴とする請求項１乃至５のいずれか１に記載のダビング予約方法。
【請求項８】
前記予約変更ステップにおいて変更された視聴又は録画予約等の時間帯が、前記ダビング予約された時間帯の少なくとも一部と重複する場合で、且つ、前記視聴又は録画予約等の開始時刻が前記ダビング予約の開始時刻よりも遅い場合、該予約されているダビングを前記視聴又は録画予約等の開始時刻まで実行した後に前記ダビングを中断し、前記予約されている視聴又は録画等を優先させて実行した後に、前記中断したダビングの続きを実行することを特徴とする請求項７に記載のダビング予約方法。
【請求項９】
既に視聴又は録画予約等されている映像コンテンツの放送時間の変更に応じて当該視聴又は録画予約等の開始時刻及び／又は終了時刻を変更する予約変更ステップを有し、該予約変更ステップにおいて変更された視聴又は録画予約等の時間帯が、前記ダビング予約された時間帯の少なくとも一部と重複する場合、前記視聴又は録画予約等の時間帯と重複しないように前記ダビング予約の開始時刻を変更してダビングを実行することを特徴とする請求項１乃至５のいずれか１に記載のダビング予約方法。
【請求項１０】
前記ダビング予約の破棄又は変更があった場合、その結果をレポートに記録し、該記録したレポートを出力できるようにしたことを特徴とする請求項６乃至９のいずれか１に記載のダビング予約方法。
【請求項１１】
前記ダビング予約ステップにおいて、指定された期間内でダビング予約可能な空き時間帯を検索して前記予約画面に出力可能とし、ユーザは前記出力された空き時間帯を参照しながら前記予約画面からダビング開始時刻を指定できるようにしたことを特徴とする請求項１乃至１０のいずれか１に記載のダビング予約方法。
【請求項１２】
前記ダビング予約ステップにおいて、フォーマット変換せずにダビングを行う第１のダビングモードと、フォーマット変換してダビングを行う第２のダビングモードのいずれかのダビングモードを選択可能とし、前記映像コンテンツ選択ステップで選択された映像コンテンツが前記第１のダビングモードによりダビング可能かどうか判定し、その結果、前記第１のダビングモードでダビングできないと判定された映像コンテンツを前記第２のダビングモードでダビング予約することを特徴とする請求項１乃至１１のいずれか１に記載のダビング予約方法。
【請求項１３】
前記他の記録媒体は、リムーバブルな記録媒体であることを特徴とする請求項１乃至１２のいずれか１に記載のダビング予約方法。
【請求項１４】
請求項１乃至１３のいずれか１に記載のダビング予約方法を実行するためのダビング予約装置。
【請求項１５】
記録媒体に記録された映像コンテンツをダビング予約して他の記録媒体にダビングするダビング機能を備えたダビング予約装置において、該ダビング予約装置は、前記記録媒体に記録された映像コンテンツからダビング対象の映像コンテンツを選択させる映像コンテンツ選択手段と、該選択された映像コンテンツに対してダビング予約を行うための予約画面を生成するＯＳＤ生成手段と、該生成した予約画面を表示させる表示制御手段と、該表示された予約画面からダビング開始時刻を指定させてダビング予約を行うダビング予約手段と、該指定されたダビング開始時刻を計時する計時手段と、前記ダビング開始時刻になったときに前記映像コンテンツ選択手段により選択された映像コンテンツを前記他の記録媒体にダビングするダビング実行手段とを有することを特徴とするダビング予約装置。
【発明の詳細な説明】
【技術分野】
【０００１】
本発明は、ダビング予約方法及びダビング予約装置、より詳細には、記録媒体に記録された映像コンテンツをダビング予約して他の記録媒体にダビングするダビング予約方法及びダビング予約装置に関する。
【背景技術】
【０００２】
テレビ番組などのアナログ放送をはじめ、ＢＳ放送，ＣＳ放送，地上波デジタル放送などのデジタル放送を受信し、その受信した放送信号から映像（及び音声）コンテンツの記録再生を行うことができる記録再生装置が普及している。この記録再生装置には、例えば、内蔵又は外付けのＨＤＤ（ハードディスクドライブ）や，リムーバブルな半導体メモリ，ＤＶＤなどの記憶容量の大きな記録媒体のリーダ／ライタを備えたものがあり、大容量記録媒体に多数の映像コンテンツを記録しておくことができる。ユーザは、記録再生装置に記録された映像コンテンツを好きなときに好きなだけ再生して視聴することができる。
【０００３】
また、最近では、例えば、ＨＤドライブとＤＶＤドライブの両方を内蔵した記録再生装置が注目されている。このような記録再生装置は、例えば、ＨＤに記録されている映像コンテンツを、ＤＶＤ等の他の記録媒体にダビングする機能を備えている。ダビング処理は、通常、ユーザが放送番組を視聴しない時間帯に行われることが多いため、深夜等の空いた時間帯を指定してダビングを行うダビング予約が一般的に行われている。
【０００４】
上記ダビング予約に関し、例えば、特許文献１には、深夜ダビングモードを備えた記録再生装置が開示されている。この深夜ダビングモードでダビングを行う際は、予め設定した時間帯（例えば、深夜２時〜５時までの間など）にダビング動作が実行されるため、装置を使用しない深夜時間帯を利用してダビングを実行することができる。
【特許文献１】特開２００２−１００１６８号公報
【発明の開示】
【発明が解決しようとする課題】
【０００５】
しかしながら、上記特許文献１では、時間帯を予め指定してダビングを実行するため、動的な時間設定が行いにくい。すなわち、ダビング時間の長短によらず、ダビング用の時間帯（例えば、深夜２時〜５時まで）として確保してしまうため、その時間帯は録画予約等の他の予約を入れられないなどの問題が起こり得る。
【０００６】
上記のように、これまでは予約状況に応じた動的（フレキシブル）な予約時間の設定が出来ないため、ダビング予約を行う際に使い勝手の面で問題があった。
【０００７】
本発明は、上述のごとき実情に鑑みてなされたものであり、記録媒体に記録された映像コンテンツをダビング予約する際にダビング開始時刻を指定させ、また、再度時刻設定を行う際には前回指定されたダビング開始時刻をデフォルト値として表示させて、動的且つ簡単に予約設定を可能とし、さらには、視聴予約や録画予約等の重複があった場合でもその重複した時間帯は視聴や録画予約等を優先させつつダビング予約との両立を図ることができるダビング予約方法及びダビング予約装置を提供すること、を目的としてなされたものである。
【課題を解決するための手段】
【０００８】
上記課題を解決するために、第１の技術手段は、記録媒体に記録された映像コンテンツをダビング予約して他の記録媒体にダビングするためのダビング予約方法において、前記記録媒体に記録された映像コンテンツからダビング対象の映像コンテンツを選択させる映像コンテンツ選択ステップと、該選択された映像コンテンツに対してダビング予約を行うための予約画面を生成するＯＳＤ生成ステップと、該生成した予約画面を表示させる表示制御ステップと、該表示された予約画面からダビング開始時刻を指定させてダビング予約を行うダビング予約ステップと、該指定されたダビング開始時刻を計時する計時ステップと、前記ダビング開始時刻になったときに前記映像コンテンツ選択ステップで選択された映像コンテンツを前記他の記録媒体にダビングするダビング実行ステップとを有することを特徴としたものである。
【０００９】
第２の技術手段は、第１の技術手段において、前記映像コンテンツ選択ステップにおいて、前記選択された映像コンテンツに対してダビングの優先順位を設定し、前記ダビング実行ステップにおいて、前記ダビング開始時刻になったときに前記映像コンテンツ選択ステップで選択された映像コンテンツのダビングを前記優先順位に従って実行することを特徴としたものである。
【００１０】
第３の技術手段は、第１又は第２の技術手段において、前記ＯＳＤ生成ステップにおいて、再度ダビング開始時刻を指定する際に、前回指定されたダビング開始時刻をデフォルト値として設定した予約画面を生成することを特徴としたものである。
【００１１】
第４の技術手段は、第１乃至第３のいずれか１の技術手段において、前記ダビング予約ステップにおいて、前記予約画面からダビング開始時刻が指定されたときに前記映像コンテンツ選択ステップで選択された映像コンテンツのダビングに要する時間に基づいてダビングの終了予定時刻を算出し、該算出した終了予定時刻を前記ダビング開始時刻に連動させて前記予約画面に出力できるようにしたことを特徴としたものである。
【００１２】
第５の技術手段は、第１乃至第４のいずれか１の技術手段において、前記ダビング予約ステップにおいて、前記ダビング予約された映像コンテンツのダビングに要する時間帯が、既に視聴又は録画予約等されている映像コンテンツの予約時間帯の少なくとも一部と重複するかどうか判定し、予約が重複する場合には、その旨を通知すると共に、重複する予約のいずれかを破棄又は変更できるようにしたことを特徴としたものである。
【００１３】
第６の技術手段は、第１乃至第５のいずれか１の技術手段において、既に視聴又は録画予約等されている映像コンテンツの放送時間の変更に応じて当該視聴又は録画予約等の開始時刻及び／又は終了時刻を変更する予約変更ステップを有し、該予約変更ステップにおいて変更された視聴又は録画予約等の時間帯が、前記ダビング予約された時間帯の少なくとも一部と重複する場合、前記ダビング予約を破棄し、前記予約されている視聴又は録画等を優先させて実行することを特徴としたものである。
【００１４】
第７の技術手段は、第１乃至第５のいずれか１の技術手段において、既に視聴又は録画予約等されている映像コンテンツの放送時間の変更に応じて当該視聴又は録画予約等の開始時刻及び／又は終了時刻を変更する予約変更ステップを有し、該予約変更ステップにおいて変更された視聴又は録画予約等の時間帯が、前記ダビング予約された時間帯の少なくとも一部と重複する場合、該重複した時間帯で前記予約されている視聴又は録画等を優先させて実行した後に、前記予約されているダビングを実行することを特徴としたものである。
【００１５】
第８の技術手段は、第７の技術手段において、前記予約変更ステップにおいて変更された視聴又は録画予約等の時間帯が、前記ダビング予約された時間帯の少なくとも一部と重複する場合で、且つ、前記視聴又は録画予約等の開始時刻が前記ダビング予約の開始時刻よりも遅い場合、該予約されているダビングを前記視聴又は録画予約等の開始時刻まで実行した後に前記ダビングを中断し、前記予約されている視聴又は録画等を優先させて実行した後に、前記中断したダビングの続きを実行することを特徴としたものである。
【００１６】
第９の技術手段は、第１乃至第５のいずれか１の技術手段において、既に視聴又は録画予約等されている映像コンテンツの放送時間の変更に応じて当該視聴又は録画予約等の開始時刻及び／又は終了時刻を変更する予約変更ステップを有し、該予約変更ステップにおいて変更された視聴又は録画予約等の時間帯が、前記ダビング予約された時間帯の少なくとも一部と重複する場合、前記視聴又は録画予約等の時間帯と重複しないように前記ダビング予約の開始時刻を変更してダビングを実行することを特徴としたものである。
【００１７】
第１０の技術手段は、第６乃至第９のいずれか１の技術手段において、前記ダビング予約の破棄又は変更があった場合、その結果をレポートに記録し、該記録したレポートを出力できるようにしたことを特徴としたものである。
【００１８】
第１１の技術手段は、第１乃至第１０のいずれか１の技術手段において、前記ダビング予約ステップにおいて、指定された期間内でダビング予約可能な空き時間帯を検索して前記予約画面に出力可能とし、ユーザは前記出力された空き時間帯を参照しながら前記予約画面からダビング開始時刻を指定できるようにしたことを特徴としたものである。
【００１９】
第１２の技術手段は、第１乃至第１１のいずれか１の技術手段において、前記ダビング予約ステップにおいて、フォーマット変換せずにダビングを行う第１のダビングモードと、フォーマット変換してダビングを行う第２のダビングモードのいずれかのダビングモードを選択可能とし、前記映像コンテンツ選択ステップで選択された映像コンテンツが前記第１のダビングモードによりダビング可能かどうか判定し、その結果、前記第１のダビングモードでダビングできないと判定された映像コンテンツを前記第２のダビングモードでダビング予約することを特徴としたものである。
【００２０】
第１３の技術手段は、第１乃至第１２のいずれか１の技術手段において、前記他の記録媒体は、リムーバブルな記録媒体であることを特徴としたものである。
【００２１】
第１４の技術手段は、第１乃至第１３のいずれか１に記載のダビング予約方法を実行するためのダビング予約装置である。
【００２２】
第１５の技術手段は、記録媒体に記録された映像コンテンツをダビング予約して他の記録媒体にダビングするダビング機能を備えたダビング予約装置において、該ダビング予約装置は、前記記録媒体に記録された映像コンテンツからダビング対象の映像コンテンツを選択させる映像コンテンツ選択手段と、該選択された映像コンテンツに対してダビング予約を行うための予約画面を生成するＯＳＤ生成手段と、該生成した予約画面を表示させる表示制御手段と、該表示された予約画面からダビング開始時刻を指定させてダビング予約を行うダビング予約手段と、該指定されたダビング開始時刻を計時する計時手段と、前記ダビング開始時刻になったときに前記映像コンテンツ選択手段により選択された映像コンテンツを前記他の記録媒体にダビングするダビング実行手段とを有することを特徴としたものである。
【発明の効果】
【００２３】
記録媒体に記録された映像コンテンツをダビング予約する際にダビング開始時刻を指定させ、また、再度時刻設定を行う際には前回指定されたダビング開始時刻をデフォルト値として表示させることができるため、動的且つ簡単に予約設定を可能とし、ユーザの利便性を向上させることができる。
また、ダビング予約時の時刻によらないため、深夜などの一定の時刻で機器の空き時間を利用する頻度が高いような場合には、ダビング予約の都度、設定を変える必要がなく、ユーザの利便性を向上させることができる。
さらには、視聴予約や録画予約等の重複があった場合でもその重複した時間帯は視聴や録画予約等を優先させつつ動的にダビング予約を実行することができるため、複数の予約が重複した場合でも予約を両立させることができる。
【発明を実施するための最良の形態】
【００２４】
図１は、本発明の一実施形態に係わるダビング予約装置の構成例を説明するためのブロック図で、図中、１０はダビング予約装置で、該ダビング予約装置１０は、アナログ放送受信部１１，デジタル放送受信部１２，情報源符号化部１３，情報源復号部１４，表示制御部１５，ストリーム制御部１６，内蔵又は外付けの磁気記憶装置（以下、単にＨＤという）１７，ＣＤ／ＤＶＤや半導体メモリ等のリムーバブル記録メディアの読み書きが可能な内蔵又は外付けのリーダ／ライタ（以下、単にリムーバブル記録メディアという）１８，ＯＳＤ（Ｏｎ  Ｓｃｒｅｅｎ  Ｄｉｓｐｌａｙ）生成部１９，システムコントロール部２０，ユーザ操作インタフェース（リモコンＩ／Ｆ）２１，タイマ（計時手段）２２，不揮発性メモリ等の記憶部２３を備えている。
【００２５】
まず、アナログ放送の視聴の場合、図示しないアンテナから入力された高周波信号（アナログ変調信号）がアナログ放送受信部１１で復調され、表示制御部１５に入力される。表示制御部１５は、ＯＳＤ生成部１９からの入力を合成して表示制御出力信号を生成し、その表示制御出力信号を図示しないディスプレイ上に出力する。ユーザは表示制御出力信号に対応したアナログ放送番組を視聴することができる。
また、デジタル放送の視聴の場合、アンテナから入力された高周波信号（デジタル変調信号）がデジタル放送受信部１２で復調され、更に、情報源復号部１４において、映像信号，音声信号に復号された後、表示制御部１５に入力される。表示制御部１５は、ＯＳＤ生成部１９からの入力を合成して表示制御出力信号を生成し、その表示制御出力信号を図示しない表示装置の画面上に出力する。ユーザは表示制御出力信号に対応したデジタル放送番組を視聴することができる。尚、本例では、アナログ放送受信部１１及びデジタル放送受信部１２の両方を備えた構成としているが、いずれか一方の受信部を備えた構成としてもよい。
【００２６】
アナログ放送番組を記録する場合、アンテナから入力された高周波信号（アナログ変調信号）がアナログ放送受信部１１で復調され、更に、情報源符号化部１３において符号化される。符号化されたデータはストリーム制御部１６において記録に適した形式（ストリーム）に変換されてＨＤ１７又はリムーバブル記録メディア１８に映像コンテンツ（以下、しばしば番組という）として記録される。
【００２７】
また、デジタル放送番組を記録する場合、アンテナから入力された高周波信号（デジタル変調信号）がデジタル放送受信部１２で復調され、ストリーム制御部１６を経由してＨＤ１７又はリムーバブル記録メディア１８に映像コンテンツとして記録される。
【００２８】
再生動作を行う場合、ＨＤ１７又はリムーバブル記録メディア１８に記録された映像データはストリーム制御部１６を経由して情報源復号部１４に入力され、情報源復号部１４において映像出力可能な形式に変換されて表示制御部１５から出力される。
【００２９】
高速ダビングを行う場合、ＨＤ１７又はリムーバブル記録メディア１８に記録された映像コンテンツを、他のＨＤ又はリムーバブル記録メディアにコピー（又は移動）する。この高速ダビングモードではデータのフォーマットを変換せずに単にコピー（又は移動）を行う。従って、転送レートを上げてダビングすることができるために高速である。しかし、映像コンテンツによっては高速ダビングができるものと、出来ないものが存在するため、その可否を判定する必要がある。上記処理はシステムコントロール部２０が行う。
例えば、リムーバブル記録メディア１８としてＤＶＤを用いており、放送番組を録画する際に、ＤＶＤに直接書き込めるフォーマット（ＰＳ）で記録した場合、システムコントロール部２０は高速ダビングが行えると判断する。これに対し、デジタル放送番組のフォーマット（ＴＳ）をそのままＨＤ１７に記録した場合は、システムコントロール部２０は高速ダビングが行えないと判断する。
【００３０】
フォーマット変換を伴うダビングを行う場合（その１）、ＨＤ１７又はリムーバブル記録メディア１８に記録された映像コンテンツを、ストリーム制御部１６でフォーマット変換した後に、他のＨＤ又はリムーバブル記録メディアにコピー（又は移動）を行う。このダビングモードは、特にＤＶＤへのダビングに適したフォーマットに変換する。
例えば、デジタル放送番組のフォーマット（ＴＳ）をそのままＨＤ１７に記録した場合に、ＴＳからＰＳへのフォーマット変換を行いＤＶＤへのダビングを行う。この場合、映像コンテンツを再度情報源符号化する必要がなく、フォーマット変換のみでＤＶＤへのダビングに適したフォーマット（ＰＳ）が得られるため、比較的高速なダビング処理が行える。
【００３１】
フォーマット変換を伴うダビングを行う場合（その２）、ＨＤ１７又はリムーバブル記録メディア１８に記録された映像コンテンツをストリーム制御部１６，情報源復号部１４に入力し、ストリーム制御部１６，情報源復号部１４を経由して、一旦復号化された映像コンテンツを再度情報源符号化部１３に入力し、再符号化を行い、更に、ストリーム制御部１６を経由して他のＨＤ又はリムーバブル記録メディアに記録する。
例えば、リムーバブル記録メディア１８としてＤＶＤを用いており、放送番組を録画する際のフォーマット（ＰＳ）であっても、録画モード（ビットレートや画質など）を変更してダビングしたい場合に、上述のように再符号化を伴うダビングを行う。また、デジタル放送番組のフォーマット（ＴＳ）をそのままＨＤ１７に記録した場合で、録画モードを変更せずにダビングしたい場合でも、再符号化を伴うダビングを行うことがある。これは、ＴＳからＰＳへのフォーマット変換を行う新たな回路を備えることなく、ＤＶＤへのダビングに適したフォーマット（ＰＳ）が得られるという利点があるためである。
【００３２】
本実施形態のダビング予約装置１０は、ＨＤ１７又はリムーバブル記録メディア１８に記録された番組をダビング予約して他のリムーバブル記録メディア等にダビングするダビング機能を備え、このダビング機能は表示制御部１５，ＯＳＤ生成部１９，システムコントロール部２０，ユーザ操作インタフェース２１，計時手段２２を用いて実現される。
【００３３】
まず、ダビング予約装置１０は、ＨＤ１７又はリムーバブル記録メディア１８に記録された番組からダビング対象の番組を選択させるための選択画面を表示させ、その選択画面から選択された映像コンテンツに対してダビング予約を行うための予約画面を表示させる。この選択画面や予約画面は、ＯＳＤ生成部１９及びシステムコントロール部２０により生成され、表示制御部１５に入力される。表示制御部１５は、ＯＳＤ生成部１９からの選択画面や予約画面を表示制御する。また、選択画面や予約画面に対する指示入力は、図示しないリモコン等の入力装置及びユーザ操作インタフェース２１を用いて行う。ユーザはリモコン等の入力装置を操作して、その操作情報をユーザ操作インタフェース２１を介して入力する。
【００３４】
システムコントロール部２０は、上記予約画面から、ダビング開始時刻をユーザに指定させてダビング予約を行う。ここで指定されるダビング開始時刻は、ユーザが入力指定するものであるが、例えば、○時×分のように直接開始時刻を指定させる。計時手段２２は、ユーザから入力指定されたダビング開始時刻を計時する。更に、システムコントロール部２０は、ダビング開始時刻になったときに上記選択画面で選択された映像コンテンツを指定された記録媒体にダビングするように指示する。
また、ダビング予約を行う際には、ダビング実行まで○時間後（例えば、３時間後が設定された場合、ダビング予約を行った時刻が８時であればダビング開始時刻が１１時となる）といった設定方法を用いてダビング開始時刻を決定してもよい。この場合、予約を入れる時刻が変わると、それに応じてダビング開始時刻も変わるため、ユーザは予約を入れる時刻が変わるたびに設定値を変える操作を行なう。
【００３５】
また、ＯＳＤ生成部１９及びシステムコントロール部２０は、再度ダビング開始時刻を指定する際に、前回指定されたダビング開始時刻をデフォルト値として設定した予約画面を生成し、その予約画面を表示制御部１５から表示出力することができるため、ユーザはダビング予約時にダビング開始時刻に変更がなければそのまま、変更がある場合には適宜開始時刻を変更すればよく、利便性が向上する。
具体的な処理としては、ダビング開始時刻の設定（具体的には画面上の設定ボタンを選択・決定）時に、設定したダビング開始時刻を退避させ、その退避させたダビング開始時刻情報を記憶部２３又はＨＤ１７の領域の一部に記憶しておく。すなわち、ＯＳＤ生成部１９及びシステムコントロール部２０は、ユーザ操作に基づいて設定されたダビング開始時刻情報を記憶部２３又はＨＤ１７の領域の一部に退避させて、記憶しておくと共に、次回ダビング開始時刻を指定する際には、ユーザ操作に基づいて、記憶部２３又はＨＤ１７の領域の一部に記憶されている前回ダビング開始時刻情報を呼び出してデフォルト値として予約画面に表示させる。
【００３６】
また、ユーザから指定された期間内でダビング予約可能な空き時間帯を検索して予約画面に出力するように構成してもよい。この場合、ユーザは予約画面に表示された空き時間帯を参照しながらダビング開始時刻を指定することができるため、重複予約を防止することができる。尚、視聴予約，録画予約，及びダビング予約等により既に予約されている時間帯情報はＨＤ１７又は記憶部２３に記録されている。システムコントロール部２０がＨＤ１７又は記憶部２３から時間帯情報を取得してＯＳＤ生成部１９に入力し、ＯＳＤ生成部１９が入力された時間帯情報を予約画面に合成し、その予約画面を表示制御部１５から表示させる。
【００３７】
以下、図２乃至図１１に基づいて、ダビング予約装置１０によって実行されるダビング予約方法の一例を説明する。尚、図２及び図３は、本発明のダビング予約方法の一例を説明するためのフロー図で、図４乃至図１１は、図２及び図３に示すフローに対応した画面遷移例を示す図である。
図２は、本発明が適用されるダビング予約方法の一例を説明するためのフロー図である。まず、ダビング予約装置１０は、下記の図４に示すスタートメニューを表示させる（ステップＳ１）。
【００３８】
図４は、スタートメニューを表示させた画面例を示す図で、図中、３０はスタートメニューで、該スタートメニュー３０には、選択可能な項目（例えば、放送視聴・録画，ハードディスク再生，ＤＶＤ／ＣＤ再生，ダビングなど）がアイコンで表示されており、このスタートメニュー３０の中に、ダビング予約を行うためのダビング３１が含まれている。ダビング予約を行いたい場合、ユーザはダビング３１のアイコンを選択し（ステップＳ２）、これに応じて、ダビング予約装置１０は、下記の図５に示すダビング可能な番組一覧を表示させる（ステップＳ３）。
【００３９】
図５は、ダビング可能な番組一覧を表示させた画面例を示す図で、図中、３２は番組選択画面で、該番組選択画面３２には、ダビング可能な番組が録画日の新しい順に上から並んだ状態で表示されている。番組選択画面３２に表示される項目には、番組名，記録（録画）日，ダビングに要する時間などが含まれる。ユーザは、このダビング可能な番組一覧からダビング対象とする番組を少なくとも１つ以上選択する。本例では４つの番組が選択されており、選択順３３の順番（１〜４）で選択されている。ダビング予約装置１０は、番組選択画面３２上で選択された４つの番組に対して、選択順３３に従ってダビングの優先順位を設定する（ステップＳ４）。これは、選択番組のダビングを実行するときの順番を決定するための処理で、後述するダビング開始時刻になったときに上記優先順位（すなわち、１〜４の順番）に従ってダビングが実行される。尚、本例では選択順３３をそのまま優先順位として設定しているが、ユーザが個々の選択番組に対して優先順位を任意に設定するようにしてもよい。
【００４０】
次に、ダビング予約装置１０は、上記ステップＳ４で選択された４つの選択番組のみを優先順位（すなわち、選択順３３）に従って再表示する（ステップＳ５）。この再表示した画面例を下記の図６に示す。
図６は、ダビング対象の番組一覧のみを再表示させた画面例を示す図で、図中、３４はダビング対象の番組一覧画面で、該番組一覧画面３４は、図５に示した選択順３３に従って４つの選択番組のみを並べ替え順３５の順番で並べ替えて表示させている。本例では、４つの番組それぞれのダビング時間を合計したダビング総時間（本例では７１分）が表示されている。
【００４１】
次に、ダビング予約装置１０は、上記ステップＳ５で表示させた４つの選択番組に対して、ダビング時の画質をユーザに指定させるための画質指定画面を表示する（ステップＳ６）。この画質指定画面の一例を下記の図７に示す。
図７は、画質指定画面の一例を示す図で、図中、３６は画質指定画面で、該画質指定画面３６には、ダビング時の画質を指定するための複数の録画モードが表示されている。ユーザはリモコン等から所望の録画モードを選択して決定することで上記４つの選択番組に対する録画モードを設定することができる。
【００４２】
上記ステップＳ１〜ステップＳ６までの処理で、ダビング対象とする番組を指定し、その指定した番組に対して、ダビングの順番や、画質等のダビング条件を設定した。次のステップＳ７において、ダビング予約装置１０は、上記４つの番組のダビングをすぐに開始するか、予約を行うか選択するダビング選択画面を表示させる（ステップＳ７）。
図８は、ダビング選択画面の一例を示す図で、図中、４０はダビング選択画面で、該ダビング選択画面４０には、「すぐにダビング」４１と、「ダビング予約」４２とが設けられている。ダビング予約装置１０は、ユーザにより選択された処理が、「すぐにダビング」４１あるいは「ダビング予約」４２のいずれであるか判断し（ステップＳ８）、すぐにダビング４１が選択されたと判断した場合（図中、開始の場合）、上記４つの番組のダビングをすぐに実行する（ステップＳ９）。また、上記ステップＳ８において、ダビング予約４２が選択されたと判断した場合（図中、予約の場合）、上記４つの番組のダビング予約処理に移行する（ステップＳ１０）。
【００４３】
図３は、図２に示したダビング予約の処理フローについて詳細に説明するためのサブフロー図である。まず、ダビング予約装置１０は、図２に示したステップＳ１０で「ダビング予約」４２が選択されると、ダビング予約を行うための予約画面を表示させる（ステップＳ１１）。このとき、前回のダビング開始設定時刻を記憶部２３又はＨＤ１７の領域の一部から呼び出してデフォルト値として予約画面に表示させる（ステップＳ１２）。この予約画面の一例を下記の図９に示す。
図９は、ダビング予約を行うための予約画面の一例を示す図で、図中、４３は予約画面で、該予約画面４３は、ダビング開始時刻入力欄４４を有している。ユーザは、ダビング開始時刻を○時×分（本例では、午後１０時３０分）という形でダビング開始時刻入力欄４４に指定する（ステップＳ１３）。尚、本例では、再度ダビング開始時刻を指定するときに、前回設定したダビング開始時刻がデフォルト表示された状態を示している。従って、ユーザは、ダビング開始時刻の変更がなければそのまま前回指定時刻を使用すればよい。ここで、予約画面４３からダビング開始時刻が指定されたときに、前記ステップＳ５で算出した選択番組のダビング総時間（本例では７１分）に基づいてダビングの終了予定時刻を算出し、算出した終了予定時刻をダビング開始時刻に連動させて予約画面４３に出力できるようにしてもよい。前述の例で、ダビング総時間が７１分であれば、ダビング終了予定時刻は午後１１時４１分となる。これにより、ユーザはダビングの開始時刻及び終了予定時刻を同時に知ることができる。
【００４４】
次に、ダビング予約装置１０は、ユーザにより選択された処理が、予約画面４３の「設定」４５あるいは「取消し」４６のいずれが選択されたか判断し（ステップＳ１４）、「取消し」４６が選択されたと判断した場合（図中、取消の場合）、上記ステップＳ１３に戻り、ユーザがダビング開始時刻を指定し直す。また、上記ステップＳ１４において、「設定」４５が選択されたと判断した場合（図中、決定の場合）、指定（決定）されたダビング開始時刻を記憶部２３又はＨＤ１７の領域の一部に退避させて記憶し（ステップ１５）、指定されたダビング開始時刻に基づいて予約重複の有無を判断する（ステップＳ１６）。
この予約重複判断の簡単な流れは、まず、上記ステップＳ１６において、ダビング予約した時間帯（本例では午後１０時３０分〜午後１１時４１分）が、録画予約や視聴予約等の既に行われた予約時間帯と重複していないかどうか判定し、予約重複なしと判断した場合（ＮＯの場合）、ステップＳ２０に移行し、ステップＳ２０において、ダビング予約装置１０は、下記の図１０に示すダビング登録画面を表示させて、新規にダビング予約を登録する（ステップＳ２０）。
【００４５】
図１０は、ダビング登録画面の一例を示す図で、図中、４７はダビング登録画面で、該ダビング登録画面４７は、上記ステップＳ１６で他の予約との重複がないと判断した場合、当該ダビング予約が可能であることをユーザに対して通知する。この際、既に予約されている番組（本例では、６／１（火）に録画予約有り）がある場合にはその予約情報の一覧を表示させるようにしてもよい。ユーザがダビング登録画面４７の「確認」４８を押すと、ダビング予約装置１０は当該ダビング予約を登録して一連の処理を終了する。この後、ダビング予約装置１０は、ダビング開始時刻（本例では、午後１０時３０分）になったときに自動的にダビングを実行する。
【００４６】
また、上記ステップＳ１６において、予約重複有りと判断した場合（ＹＥＳの場合）、ダビング予約装置１０は、下記の図１１に示す重複予約通知画面を表示させて、重複予約の状況をユーザに通知する（ステップＳ１７）。
【００４７】
図１１は、重複予約通知画面の一例を示す図で、図中、４９は重複予約通知画面で、該重複予約通知画面４９は、既予約番組を破棄して新規のダビング予約を行うときに選択する「予約する」５０と、既予約番組はそのままに新規のダビング予約の開始時刻を変更するときに選択する「予約しない」５１とを設けている。ダビング予約装置１０は、ユーザにより選択された処理が、重複予約通知画面４９の「予約する」５０あるいは「予約しない」５１のいずれであるか判断し（ステップＳ１８）、「予約しない」５１が選択されたと判断した場合（ＮＯの場合）、上記ステップＳ１３に戻り、ユーザがダビング開始時刻を指定し直す。また、上記ステップＳ１８において、「予約する」５０が選択されたと判断した場合（ＹＥＳの場合）、重複した既予約番組を破棄し（ステップＳ１９）、新規にダビング予約を登録する（ステップＳ２０）。この後、ダビング予約装置１０は、ダビング開始時刻（本例では、午後１０時３０分）になったときに自動的にダビングを実行する。
【００４８】
尚、ダビング予約装置１０は、上記ステップＳ１６において、重複予約があると判断した時点で、重複予約の対象となった視聴又は録画予約等を優先させ、視聴又は録画等の終了後の空いている時間帯にダビング予約を自動的に登録するように構成してもよく、この場合、ダビング予約装置１０が、視聴又は録画等の終了直後などにダビング開始時刻を再設定し、その旨をユーザに通知するようにする。
【００４９】
また、例えば、デジタル放送ではスポーツ中継などのように番組の放送時間が変更（例えば、延長など）されることがよくある。ダビング予約装置１０は、このような番組を視聴又は録画予約等していた場合、上記放送時間の変更に応じて視聴又は録画等の終了時刻を変更する予約変更機能を備える構成としてもよい。この予約変更機能により、上記スポーツ中継が延長等された後の番組の放送時間（開始時刻／終了時刻）にも影響するため、このような番組を視聴又は録画予約等していた場合にも、放送時間の変更に応じて視聴又は録画等の開始時刻及び終了時刻を変更することができる。
【００５０】
しかしながら、上記予約変更機能により変更された視聴又は録画予約等の時間帯が、ダビング予約された時間帯と重複するケースが起こり得る。以下の実施形態では、これを解決することができる。
【００５１】
まず第１に、ダビング予約装置１０は、予約変更機能により変更された視聴又は録画予約等の時間帯が、ダビング予約された時間帯の少なくとも一部と重複すると判断した場合、当該ダビング予約を破棄し、予約されている視聴又は録画等を優先させて実行する。これは、ダビングはやり直しが可能であるが、録画等はやり直しがきかないため、録画等を優先させるように構成したものである。この場合、ユーザはダビング開始時刻を再度設定し直してダビングをやり直す。尚、本実施形態によれば、ダビングを失敗させることで、番組の延長やイベントリレー時にドミノ的に失敗が波及するのを防止することができる。
【００５２】
第２に、ダビング予約装置１０は、予約変更機能により変更された視聴又は録画予約等の時間帯が、ダビング予約された時間帯の少なくとも一部と重複すると判断した場合、重複した時間帯の視聴又は録画等を優先させて実行した後に、予約されているダビングを実行するようにしてもよい。この場合、ダビング予約を破棄せずにそのダビング開始時刻を録画等の終了直後にずらしてダビングが実行される。
【００５３】
第３に、ダビング予約装置１０は、予約変更機能により変更された視聴又は録画予約等の時間帯が、ダビング予約された時間帯の少なくとも一部と重複する場合で、且つ、視聴又は録画予約等の開始時刻がダビング予約の開始時刻よりも遅いと判断した場合、予約されているダビングを、そのダビング開始時刻から、視聴又は録画予約等の開始時刻まで実行した後に、当該ダビングを中断し、予約されている視聴又は録画を優先させて実行した後に、中断したダビングの続きを実行するようにしてもよい。
（１）中断処理・・・方法１
ダビング中に他の予約時間に対して余裕のある時点で（概ね２分程度を想定）ダビングの中断を行いダビング完了のポイントを退避する（不揮発性メモリ（記憶部２３）などに記憶することが望ましい）。
（２）中断処理・・・方法２
ダビング対象が複数コンテンツ（番組）である場合に、新たなコンテンツのダビング開始前に、直近の予約（他の予約）の確認を行い、上記新たなコンテンツのダビングに要する時間（すなわちダビング終了時刻）との比較を行い比較結果において、競合がある場合に、一時的に、ダビングを中断する（コンテンツ毎の管理）。
（３）再開処理
（他の）予約の実行終了を確認し、次の（直近の）予約の実行開始時刻までの余裕時間を求め、この余裕時間が不足しない場合にダビング動作の再開を行う。
【００５４】
第４に、ダビング予約装置１０は、予約変更機能により変更された視聴又は録画予約等の時間帯が、ダビング予約された時間帯の少なくとも一部と重複すると判断した場合、視聴又は録画予約等の時間帯と重複しないように、ダビング予約の開始時刻を変更してダビングを実行するようにしてもよい。この場合、視聴又は録画予約等の時間帯と重複しない空き時間帯を検索し、その検索した空き時間帯のどこかでダビングを実行する。
【００５５】
さらに、ダビング予約装置１０は、上記のようにダビング予約の破棄又は変更があった場合、その結果をレポートに記録し、記録したレポートを画面等に出力するようにしてもよく、この場合、ユーザは、上記レポートを見ることで、ダビング予約を再度行う必要があるかどうか判断することができる。
ダビング予約装置１０のレポート機能とは、ユーザの設定（例：予約）に対して、主に、ユーザが想定している（いた）であろう動作と異なる動作が行われた場合等に動作を履歴として記録し、この履歴が記録されたことを表示手段で告知し（画面表示またはＬＥＤ点灯など）、ユーザ操作によって記録された履歴を確認する手段を提供するものである。
【００５６】
ダビング予約装置１０は、フォーマット変換せずにダビングを行う高速ダビングモードと、フォーマット変換してダビングを行う通常ダビングモードのいずれかのダビングモードを選択してダビング予約を行う機能を備えている。デジタル放送では、録画中でも同時動作し且つ予約なしでダビング可能な番組（ＰＳ）と、それが出来ない番組（ＴＳ）とが存在する。従って、ダビング予約装置１０は、ダビング対象とする番組について高速ダビングモードの適用が可能かどうかを判定し、高速ダビングモードが適用できない番組にはダビング予約（通常ダビングモード）で対応する構成としてもよい。
【００５７】
また、上記高速ダビングモードが適用できる番組については、転送レートを考慮してダビングに要する時間を算出し、予約の重複判定に用いるようにしてもよい。尚、通常ダビングモードでダビングに要する時間は、実際の番組の長さ（放送時間）に相当する。
例えば、ＨＤ１７に録画された番組のデータ量がＳ（バイト）、転送レートがＲ（バイト／秒）の場合、ダビングに要する時間Ｔ（秒）を
Ｔ＝Ａ＊（Ｓ／Ｒ）＋Ｄ      ・・・      式（１）
によって求める。ここで、Ａ、Ｄは転送の準備や割り込み処理等による処理の遅延を考慮し、安全のためにＴを長めに見積もるためにあらかじめ与えられた定数である。
【００５８】
また、ダビング予約装置１０は、予約内容をリスト表示する際に、アイコンを用いてダビング予約であることを示し、予約重複等があった場合には、予約削除の第１候補（ダビングはやり直し可能なため）として、それが分かるように、リスト上のカーソル位置がダビング予約された番組上におかれるようにし、あわせてリスト上の該当番組をハイライト表示させるようにしてもよい。
【図面の簡単な説明】
【００５９】
【図１】本発明の一実施形態に係わるダビング予約装置の構成例を説明するためのブロック図である。
【図２】本発明が適用されるダビング予約方法の一例を説明するためのフロー図である。
【図３】図２に示したダビング予約の処理フローについて詳細に説明するためのサブフロー図である。
【図４】スタートメニューを表示させた画面例を示す図である。
【図５】ダビング可能な番組一覧を表示させた画面例を示す図である。
【図６】ダビング対象の番組一覧のみを再表示させた画面例を示す図である。
【図７】画質指定画面の一例を示す図である。
【図８】ダビング選択画面の一例を示す図である。
【図９】ダビング予約を行うための予約画面の一例を示す図である。
【図１０】ダビング登録画面の一例を示す図である。
【図１１】重複予約通知画面の一例を示す図である。
【符号の説明】
【００６０】
１０…ダビング予約装置、１１…アナログ放送受信部、１２…デジタル放送受信部、１３…情報源符号化部、１４…情報源復号部、１５…表示制御部、１６…ストリーム制御部、１７…磁気記憶装置（ＨＤ）、１８…リーダ／ライタ（リムーバブル記録メディア）、１９…ＯＳＤ生成部、２０…システムコントロール部、２１…ユーザ操作インタフェース（リモコンＩ／Ｆ）、２２…タイマ（計時手段）、２３…記憶部、３０…スタートメニュー、３１…ダビング、３２…番組選択画面、３３…選択順、３４…ダビング対象の番組一覧画面、３５…並べ替え順、３６…画質指定画面、４０…ダビング選択画面、４１…すぐにダビング、４２…ダビング予約、４３…予約画面、４４…ダビング開始時刻入力欄、４５…設定、４６…取消し、４７…ダビング登録画面、４８…確認、４９…重複予約通知画面、５０…予約する、５１…予約しない。
【図１】
2005167297.tif 000003
【図２】
2005167297.tif 000004
【図３】
2005167297.tif 000005
【図４】
2005167297.tif 000006
【図５】
2005167297.tif 000007
【図６】
2005167297.tif 000008
【図７】
2005167297.tif 000009
【図８】
2005167297.tif 000010
【図９】
2005167297.tif 000011
【図１０】
2005167297.tif 000012
【図１１】
2005167297.tif 000013